(57)【特許請求の範囲】
【請求項１】
車体フレーム(2)を車体の外周を囲繞して配設し、同車体フレーム(2)の前方に前付け作業機(B)を昇降自在に連結し、同前付け作業機(B)を昇降作動させるための昇降用油圧シリンダ(61)の車体側端部を支持する油圧シリンダステー(58)を、車体フレーム(2)の前端部に着脱自在に立設した作業車において、昇降用油圧シリンダ(61)と、前付け作業機(B)を左右傾動させるための傾動用油圧シリンダ(56)との作動を制御する昇降・傾動操作部(63)を、スイッチボックス支持杆(62)で支持してステアリングホイル(23)の外側下方に配置し、しかも、同スイッチボックス支持杆(62)は、上記油圧シリンダステー(58)により支持されていることを特徴とする作業車。
【発明の詳細な説明】
【０００１】
【発明の属する技術分野】
本発明は、作業車に関する。
【０００２】
【従来の技術】
従来、車体の後方に、耕耘機等の後付け作業機を連結するようにした作業車がある。
【０００３】
【発明が解決しようとする課題】
ところが、上記作業車の前方に除雪機等の前付け作業機を連結しようとすると、前付け作業機を昇降させるための機構が複雑になって製造コストがかさむばかりでなく、前付け作業機の着脱作業が煩雑になって多くの手間を要したり、作業機前方の視界を阻害して作業に支障をきたすなどの問題がある。
【０００４】
また、前付け作業機の着脱に際し、同前付け作業機の昇降及び傾動を操作する操作部を別途着脱する必要があって、前付け作業機の着脱作業を更に煩雑にしたり、上記操作部の取付位置が限定されて、前付け作業機の昇降・傾動操作がやり難くなるなどの問題がある。
【０００５】
【課題を解決するための手段】
そこで、本発明では、車体フレームを車体の外周を囲繞して配設し、同車体フレームの前方に前付け作業機を昇降自在に連結し、同前付け作業機を昇降作動させるための昇降用油圧シリンダの車体側端部を支持する油圧シリンダステーを、車体フレームの前端部に着脱自在に立設した作業車において、昇降用油圧シリンダと、前付け作業機を左右傾動させるための傾動用油圧シリンダとの作動を制御する昇降・傾動操作部を、スイッチボックス支持杆で支持してステアリングホイルの外側下方に配置し、しかも、同スイッチボックス支持杆は、上記油圧シリンダステーにより支持されていることを特徴とする作業車を提供するものである。
【０００８】
【発明の実施の形態】
本発明の実施の形態は次の通りである。
【０００９】
作業車の前方に前付け作業機（除雪機）を昇降自在に連結し、作業車の車体フレームを車体の外周を囲繞して配設し、同車体フレームの前端部に油圧シリンダステーを着脱自在に立設し、同ステーと前付け作業機との間に、同前付け作業機を昇降させるための電動油圧式の昇降用油圧シリンダを介設し、更に、前付け作業機を左右傾動させるための電動油圧式の傾動用油圧シリンダを設けると共に、上記各シリンダの作動を制御するための昇降・傾動操作部を、上記ステーだけで支持されたスイッチ支持杆を介してステアリングホイルの左側近傍に配置している。
【００１０】
【実施例】
本発明の実施例を図面を参照しながら説明する。
【００１１】
図１は、本発明に係る作業車Ａを示しており、同作業車Ａの前方に前付け作業機としての除雪機Ｂを連結し、後方に後付け作業機としてのロータリ式の耕耘機Ｃを連結している。
【００１２】
作業車Ａは、図１で示すように、左右一対のクローラ式の走行部1,1 間に車体フレーム２を介設し、同車体フレーム２上において、前部に運転部３を配設し、後部に原動機部４とミッション部５とを上下に重ねて配設すると共に、原動機部４に走行部1,1 をミッション部５を介して連動連結している。
【００１３】
走行部１は、図１で示すように、前後方向に伸延する走行フレーム６の前後端部にそれぞれ前側従動輪７と後側従動輪８とを取付け、後述するミッション部５に連動連結した駆動輪９を、前・後側従動輪7,8 間の中心位置よりも後方寄りに配置し、同走行フレーム６の下側に、前後方向に間隔を開けて３個の転動輪10を軸支し、各動輪7,8,9,10の外周に側面視略三角形状の履帯11を巻回している。
【００１４】
上記のように、履帯11上面の前側従動輪７と駆動輪９との間が前下がりに傾斜状しているので、車体を小型化したり操作性を良くするために、左右走行部1,1 の間隔を可及的に狭めても、後述する運転部３に設けた各種操作レバーや、同各種操作レバーとミッション部５との間に介在する連動連結機構などを無理なく配設することができる。
【００１５】
車体フレーム２は、図１、図２及び図３で示すように、丸パイプを屈折して平面視で略矩形環状、側面視でやや前傾した略へ字形状に形成されており、同車体フレーム２の前端部2aを斜め前上方に立上げて床板を張設し、車体フレーム２の中央部に座席12を配設している。
【００１６】
そして、上記車体フレーム２を支持するために、前記走行フレーム6,6 の前・後部間に、それぞれ左右方向に伸延する前後一対の左右連結フレーム13,13 を横架し、前側の左右連結フレーム13の前部左右側に、上記車体フレーム２の前下部左右側を支持する前支持体14,14 を立設し、後側の左右連結フレーム13の左右側に、車体フレーム２の後部を支持する後支柱15,15 を立設している。
【００１７】
また、前側の左右連結フレーム13の後面中央部に、ミッション部５の前端部を支持するミッション前側支柱16を立設し、後側の左右連結フレーム13の後面中央部に、原動機部４を支持する左右一対の原動機部支柱17,17 を立設している。
【００１８】
そして、左右側の後支柱15,15 中途部後面間に左右方向に伸延するＰＴＯ軸ケース18を横架し、同ＰＴＯ軸ケース18の中央部外周面に昇降リンク19の前端部を回動自在に枢着し、同昇降リンク19の中途部と、前記車体フレーム２の後面中央部との間に後付け作業機昇降用油圧シリンダ20を介設し、同後付け作業機昇降用油圧シリンダ20の伸縮作動により、同昇降リンク19の後端にヒッチ体21を介して連結した耕耘機Ｃを昇降作動させるようにしており、本実施例では、後述する除雪機Ｂに動力を伝達するための前付け作業機用動力伝達機構Ｍを取付けるために、上記後付け作業機昇降用油圧シリンダ20を縮退させて上記ロータリ式耕耘機Ｃを上方に位置させている。
【００１９】
運転部３は、図１及び図２で示すように、車体フレーム２の前部にステアリングコラム22を立設し、同ステアリングコラム22の上面にステアリングホイル23を操向回動自在に配設している。図中、24は前後進切替レバー、25はブレーキペダル、26は変速レバー、27はＰＴＯクラッチレバーである。
【００２０】
原動機部４は、エンジンＥと、同エンジンＥの近傍に配設したラジエータやエアクリーナ等（図示せず）を具備しており、同エンジンＥの出力軸30を左側の駆動輪９の上方に配置して、上記出力軸30に、平面視において履帯11よりも内側に配置した走行用ベルト伝動機構31とＰＴＯ用ベルト伝動機構32の入力端を連動連結し、各ベルト伝動機構31,32 の出力端を出力軸30の前後に振り分け配置している。
【００２１】
ミッション部５は、図１に示すように、前述したミッション前側支柱16と原動機部支柱17との間に架設されて、上記エンジンＥの下方に位置している。
【００２２】
そして、ミッション部５の左側面前部に走行用チェンケース33の下端部を連動連結し、同走行用チェンケース33の上端部を前記走行用ベルト伝動機構31に連動連結し、走行用ベルト伝動機構31に付設した走行クラッチ31a により、ミッション部５への動力伝達を断・接するようにする一方、同ミッション部５の左側面後部に前述した駆動輪９を配置している。
【００２３】
また、図示しないが、上記ミッション部５は、前記変速レバー26の操作により変速比を変更する機械式変速機と、ステアリングホイル23の操作により変速比を変更する静油圧式無段変速機と、左右側の駆動輪9,9 にそれぞれ連動連結した遊星歯車機構と、上記静油圧式無段変速機の出力を各遊星歯車機構に相補的に伝達する動力分配機構とを内蔵しており、機械式変速機の出力と動力分配機構の出力とを、各遊星歯車機構でそれぞれ合成して左右側の駆動輪9,9 に伝達して、作業車Ａを前後進及び旋回走行できるようにしている。
【００２４】
一方、ＰＴＯ用ベルト伝動機構32の出力端は、前記ＰＴＯ軸ケース18を挿通した動力取出し部としてのＰＴＯ軸35の左端部に連動連結し、同ＰＴＯ軸35の右端部から前記耕耘機Ｃへ着脱自在のベルト（本実施例では取外している）を介して動力を伝達できるようにしており、同ＰＴＯ用ベルト伝動機構32に付設したＰＴＯクラッチ32a により、上記動力伝達を断・接するようにしている。図中、36は耕耘機フレーム、37は耕耘機側入力軸、38はロータリ、39はロータリカバーである。
【００２５】
除雪機Ｂは、図１及び図２で示すように、前方向に開口したケーシング40の内部に、軸芯を左右方向に伸延させて配置した掻寄せオーガ41と、スロワとを配設し、掻寄せオーガ41とスロワとを後述する除雪機側入力軸42に連動連結して、同除雪機側入力軸42に入力した動力により、掻寄せオーガ41が掻寄せた雪を、スロワでケーシング40の側端部に立設した排雪筒43を介して外部に放出するようにしている。図中、44は除雪機Ｂを一定地上高に保持するためのそり体である。
【００２６】
かかる除雪機Ｂは、作業車Ａの前方に次のようにして連結されている。即ち、前述した前支持体14,14 の基部をそれぞれ左右方向に挿通した枢軸45,45 に、作業機支持枠体46の基端を回動自在に枢着し、同作業機支持枠体46の先端部に固設した除雪機取付基板50を介して除雪機Ｂを連結している。
【００２７】
除雪機取付基板50は、図１〜図４で示すように、同除雪機取付基板50の前面に大径中空の除雪機取付軸51を軸芯を前後方向にして突設し、同除雪機取付軸51に上記ケーシング40の後面に突設した軸受体52を回動自在に外嵌して、除雪機Ｂを左右傾動自在に連結し、上記除雪機取付基板50の一側に傾動用油圧シリンダ支持体53を外側方向に突設し、同傾動用油圧シリンダ支持体53の先端部と上記軸受体52の上部に突設したロッド枢支体54との間に、電動油圧ポンプ55と左右傾動用油圧シリンダ56とを連通連結して構成した傾動用電動油圧シリンダH1を介設し、同傾動用電動油圧シリンダH1の伸縮作動により除雪機Ｂを左右傾動させるようにしている。
【００２８】
また、前記車体フレーム２の前端中央部に作業機取付基台57を垂設し、同作業機取付基台57の前面に、周縁部を前方に折曲して曲げ剛性を高めた縦長略矩形板状の昇降用油圧シリンダステー58の下部を着脱自在に取付け、同昇降用油圧シリンダステー58の上部前面に昇降用油圧シリンダ支持体59を突設し、同昇降用油圧シリンダ支持体59と前記除雪機取付基板50との間に、電動油圧ポンプ60と昇降用油圧シリンダ61とを連通連結して構成した昇降用電動油圧シリンダH2を介設し、同昇降用電動油圧シリンダH2の伸縮作動により除雪機Ｂを昇降作動させるようにしている。
【００２９】
また、上記昇降用油圧シリンダステー58の右側後面上端部に、外側方向に伸延したスイッチ支持杆62の基端部を固設し、同スイッチ支持杆62の後半部を後方向略直角に屈折し、同スイッチ支持杆62の後端部に昇降・傾動操作部としてのスイッチボックス63を連設して、同スイッチボックス63を前記ステアリングホイル23の右外側下方に近接して位置せしめ、同スイッチボックス63の上面に、前記左右傾動用油圧シリンダ56の伸縮作動を制御する傾動スイッチ64と、昇降用油圧シリンダ61の伸縮作動を制御する昇降スイッチ65とを配設している。
【００３０】
前記ＰＴＯ軸35と除雪機Ｂとの間には、前付け作業機用動力伝達機構Ｍが介設されており、同前付け作業機用動力伝達機構Ｍは、前記除雪機取付軸51の内部に除雪機側入力軸42を挿通する一方、前記後支柱15,15 の下部に斜め後下方向に延出したギヤボックス支持体70を突設し、同ギヤボックス支持体70の下端にギヤボックス71を装着して、同ギヤボックス71を前記ヒッチ体21の下方に配置している。
【００３１】
ギヤボックス71は、図５で示すように、左右方向にギヤボックス71の右側壁を挿通したギヤボックス入力軸72の内側端に原動傘歯車73を嵌着し、前後方向にギヤボックス71の前壁を挿通したギヤボックス出力軸74の内側端に受動傘歯車75を嵌着して、同受動傘歯車75を上記原動傘歯車73に噛合させている。
【００３２】
上記ギヤボックス入力軸72と前記ＰＴＯ軸35との間に、作業機用チェンケース76をノブ付きボルト77を介して着脱自在に架設しており、同作業機用チェンケース76は、図５で示すように、作業機用チェンケース76の入力端部を前記ＰＴＯ軸ケース18の右側端部に着脱自在に取付け、作業機用チェンケース76の出力端部を上記ギヤボックス71の右側端部に着脱自在に取付けており、ＰＴＯ軸35の右側端部に、作業機用チェンケース76の入力端内部の原動スプロケット78をスプライン嵌合し、出力端内部の受動スプロケット79をギヤボックス入力軸72の右側端部にスプライン嵌合し、各スプロケット78,79 間にチェン80を巻回している。
【００３３】
上記ギヤボックス出力軸74は、左右連結フレーム13,13 の下方を前後方向に伸延し、かつ、前端部を前記枢軸45の後方に設けた中間軸受81に軸支された中間軸82の後端にスプライン嵌合しており、同中間軸82の前端部を両端にユニバーサルジョイント83,83 を連設した揺動軸84を介して前記除雪機側入力軸42に連動連結しており、特に、中間軸82と揺動軸84間のユニバーサルジョイント83を中間軸82にスプライン嵌合し、しかも、このユニバーサルジョイント83を前記枢軸45に可及的に近接配置して、エンジンＥからの動力を、ＰＴＯ用ベルト伝動機構32→ＰＴＯ軸35→作業機用チェンケース76→ギヤボックス71→中間軸82→ユニバーサルジョイント83→揺動軸84→ユニバーサルジョイント83→除雪機側入力軸42の順で伝達するようにしている。
【００３４】
かかる構成により、左右側の枢軸45,45 から作業機支持枠体46の基端を脱着し、作業機取付基台57から昇降用油圧シリンダステー58を脱着するだけで、作業車Ａから除雪機Ｂを脱着することができ、この作業を容易にすることができる。
【００３５】
また、スイッチボックス63をステアリングホイル23に近接して設けているので、上記傾動スイッチ64や昇降スイッチ65の操作が容易になり、更に、スイッチボックス63がスイッチ支持杆62を介し昇降用油圧シリンダステー58だけに支持されているので、昇降用油圧シリンダステー58と一体に作業車Ａから脱着することができ、除雪機Ｂの脱着作業を容易にすることができる。
【００３６】
また、車体フレーム２の前端部を斜め前上方に立上げているので、同車体フレーム２の前端部と作業機支持枠体46との干渉が回避され、除雪機Ｂの昇降作動範囲を広く確保することができる。
【００３７】
また、作業車Ａの後方に連結した作業機への動力伝達のためのＰＴＯ軸35から、作業車Ａの前方に連結した作業機を駆動するようにし、更に、上記動力伝達をＰＴＯ用ベルト伝動機構32に設けたＰＴＯクラッチ32a で断・接できるので、別途クラッチ機構を要せず動力伝達構造を簡単にすることができる。
【００３８】
また、中間軸82と揺動軸84間のユニバーサルジョイント83を、除雪機Ｂの昇降回動の中心たる枢軸45に可及的に近接配置しているので、除雪機Ｂの昇降作動に伴う中間軸82前端と除雪機側入力軸42後端間の距離の変化を可及的に小さくして、除雪機Ｂの昇降作動にかかわらず円滑に動力の伝達が行えるようにしている。
【００３９】
また、運転部３からの前方視界内には、ステアリングコラム22と昇降用油圧シリンダステー58とが立設されているだけであるから、除雪作業時の前方視認性が良好である。
【００４０】
また、除雪機Ｂを昇降及び左右傾動させるのに、昇降用電動油圧シリンダH2と傾動用電動油圧シリンダH1を用いているので、除雪機Ｂと作業車Ａ間の油圧配管を要せず、同除雪機Ｂの着脱作業が簡易になり、更に、上記各シリンダH1,H2 の作動を、傾動スイッチ64と昇降スイッチ65のＯＮ／ＯＦＦにより電気的に制御することができ、除雪機Ｂの昇降・傾動操作を容易にすることができる。
【００４１】
更に、作業車Ａの後方に耕耘機Ｃを連結したままで、除雪機Ｂを連結できるので、耕耘機Ｃ脱着の手間を要せず、しかも、作業車Ａの前後重量バランスを良好に保持して、走行性及び作業性を向上することができる。
【００４２】
【発明の効果】
本発明によれば次のような効果を得ることができる。
【００４３】
本発明では、車体フレームを車体の外周を囲繞して配設し、同車体フレームの前方に前付け作業機を昇降自在に連結し、同前付け作業機を昇降作動させるための昇降用油圧シリンダの車体側端部を支持する油圧シリンダステーを、車体フレームの前端部に着脱自在に立設した作業車において、昇降用油圧シリンダと、前付け作業機を左右傾動させるための傾動用油圧シリンダとの作動を制御する昇降・傾動操作部を、スイッチボックス支持杆で支持してステアリングホイルの外側下方に配置し、しかも、同スイッチボックス支持杆は、上記油圧シリンダステーにより支持されていることによって、前付け作業機を昇降させるための機構を簡単にすることができ、更に、油圧シリンダステーを車体フレーム前端部に着脱自在としているので、前付け作業機と、同前付け作業機を昇降させるための機構とを一体的に着脱することが可能になり、前付け作業機着脱作業を容易かつ迅速に行うことができる。
【００４４】
しかも、前付け作業機の昇降及び左右傾動操作を容易に行うことができ、更に、昇降・傾動操作部と油圧シリンダステーとを一体的に着脱できるので、別途昇降・傾動操作部の着脱作業を要せず、前付け作業機の着脱作業を簡易にすることができる。
【図面の簡単な説明】
【図１】本発明に係る作業車の全体側面図。
【図２】除雪機及び車体フレームの側面図。
【図３】車体フレーム前端部の平面図。
【図４】昇降用油圧シリンダステーの正面図。
【図５】ギヤケースの断面平面図。
【符号の説明】
Ａ  作業車
Ｂ  前付け作業機（除雪機）
２  車体フレーム
23  ステアリングホイル
55  電動油圧ポンプ（左右傾動用）
56  傾動用油圧シリンダ
57  油圧シリンダステー
60  電動油圧ポンプ（昇降用）
61  昇降用油圧シリンダ
62  スイッチボックス支持杆
63  昇降・傾動操作部（スイッチボックス）
【図１】
0004198807.tif 000002
【図２】
0004198807.tif 000003
【図３】
0004198807.tif 000004
【図４】
0004198807.tif 000005
【図５】
0004198807.tif 000006